(57)【特許請求の範囲】
【請求項１】
縦軸及び横軸を有し、前ウエスト域と、後ウエスト域と、前記前後ウエスト域間において延びるクロッチ域と、前記クロッチ域から前記前後ウエスト域へ延びる吸収性コアとを有する物品本体と、前記前後ウエスト域の両側縁部どうしを互いに連結するファスニングシステムとを含む使い捨て着用物品において、
前記吸収性コアは、前記縦軸の方向へ直状に延びる直状部と前記クロッチ域の中央部において前記縦軸へ向かって凹曲する凹曲部とを有する両側縁と、前記前ウエスト域又は前記前ウエスト域側のクロッチ域において前記横軸の方向へ延びる第１折曲案内部と、前ウエスト域側の前記クロッチ域かつ前記両側縁の内側において前記縦軸に関して対称に位置する一対の第２折曲案内部と、前記後ウエスト域側の前記クロッチ域かつ前記両側縁の内側において前記縦軸に関して対称に位置する一対の第３折曲案内部とを有し、
前記第１折曲案内部に沿ってそれよりも前記縦軸の外方へ延びる部分を前記物品本体の内外方へ折曲可能であって、
前記吸収性コアの両側縁と前記第２折曲案内部との間および前記吸収性コアの両側縁と前記第３折曲案内部との間には、それぞれ、前記物品本体の内外方に折り曲げ可能な第１折曲域と第２折曲域とが画成されていることを特徴する前記使い捨て着用物品。
【請求項２】
前記第１及び第２折曲域の前記縦軸の方向における長さ寸法が、前記第１折曲案内部の中央部から前記前ウエスト域の前端縁までの前記縦軸の方向における長さ寸法の半分よりも大きい請求項１記載の使い捨て着用物品。
【請求項３】
前記第１及び第２折曲域の内側縁は前記縦軸に対して凸曲する形状を有し、かつ、前記第１及び第２折曲域の外側縁は前記縦軸に対して凹となる形状を有する請求項１又は２記載の使い捨て着用物品。
【請求項４】
前記第１及び第２折曲域の外側縁のうちの、前記直状部の一部からなる部位の前記縦軸の方向における長さ寸法は、前記第１折曲案内部から前記前ウエスト域の前記前端縁までの前記縦軸の方向における長さ寸法とほぼ等しい又はそれよりも大きい請求項１〜３のいずれかに記載の使い捨て着用物品。
【請求項５】
前記吸収性コアの前記第１折曲域と前記第２折曲域との間において前記縦軸の方向へ延びる弾性要素が配置されている請求項１〜４のいずれかに記載の使い捨て着用物品。
【請求項６】
前記物品本体の肌対向面において、前記前ウエスト域の前記前端縁に沿って延びる第１装飾ラインと、前記第２折曲案内部に沿って延びる第２装飾ラインと、前記第１折曲案内部の略中央部において前記横軸の方向へ延びる第３装飾ラインと、前記第３折曲案内部に沿って延びる第４装飾ラインとが形成されており、前記第１及び第２装飾ラインには同一の装飾が施されており、前記第３及び第４装飾ラインには、前記第１及び第２装飾ラインとは異なる装飾が施されている請求項１〜５のいずれかに記載の使い捨て着用物品。
【発明の詳細な説明】
【技術分野】
【０００１】
本発明は、使い捨て着用物品に関し、より詳しくは、使い捨てのトイレット・トレニングパンツ、使い捨て失禁パンツ、使い捨ての生理用パンツ、特に、開放型の使い捨ておむつ等の使い捨て着用物品に関する。
【背景技術】
【０００２】
従来、前ウエスト域と後ウエスト域との両側縁どうしを止着部材を介して連結する、いわゆる開放型の使い捨て着用物品は公知である。例えば、特許文献１には、透液性の表面シートと、不透液性の裏面シートと、表裏面シート間に介在された吸収性コアと、ウエスト回り方向へ延びる一対の着用バンドと、クロッチ域の両側域から前後ウエスト域に延びる複数条の弾性要素とを含む使い捨ておむつが開示されている。
【先行技術文献】
【特許文献】
【０００３】
【特許文献１】特許３３４３１９９号公報
【発明の概要】
【発明が解決しようとする課題】
【０００４】
特許文献１に開示された使い捨ておむつは、おむつ本体の前端部における所定部位において、吸収性コアの一部がそれ以外の部位よりも薄くまたは吸収性コア自体が存在していないことによって形成された、おむつの横方向へ延びる折曲案内部を有する。
【０００５】
折曲案内部及び着用バンドの上縁部に沿っておむつ本体の前端部を外側に折り返すことによって、着用者が新生児の場合には、へそを露出することができ、その腹式呼吸を妨げることはない。また、前記前端部の外面に位置する止着手段によって、該折り返し部位をおむつ本体に固定することができるので、新生児のへそを確実に露出することができる。
【０００６】
しかし、かかる発明におけるおむつでは、吸収性コアが略矩形状を有しているので、着用中に、クロッチ域に位置する吸収性コアの両側縁部が着用者の鼠径部に当接して皺が寄り、吸収性コアに吸収された体液が皺の形成された部位から外部に漏れ出るおそれがある。かかる事態を避けるために、従来、吸収性コアをクロッチ域において凹曲させた、いわゆる砂時計形状に形成することは知られているが、かかるおむつのように、前ウエスト域の一部を折り曲げて着用する場合には、折曲される前後で着用者の鼠径部の当接する位置が異なる。したがって、折曲の前後において、クロッチ域における吸収性コアの凹曲部を着用者の鼠径部と対向する位置に配置させて、その身体に密着させることは困難である。
【０００７】
本発明の課題は、従来の発明の改良であって、前ウエスト域の一部を内側又は外側に折り返すことによって比較的容易にサイズ調整ができるとともに、折曲の前後において吸収性コアの凹曲部の形状を変えることによって吸収性コアを着用者の脚回りにフィットさせることのできる使い捨て着用物品の提供にある。
【課題を解決するための手段】
【０００８】
前記課題を解決するために、本発明が対象とするのは、縦軸及び横軸を有し、前ウエスト域と、後ウエスト域と、前記前後ウエスト域間において延びるクロッチ域と、前記クロッチ域から前記前後ウエスト域へ延びる吸収性コアとを有する物品本体と、前記前後ウエスト域の両側縁部どうしを互いに連結するファスニングシステムとを含む使い捨て着用物品である。
【０００９】
本発明の特徴とするところは、前記吸収性コアは、前記縦軸の方向へ直状に延びる直状部と前記クロッチ域の中央部において前記縦軸へ向かって凹曲する凹曲部とを有する両側縁と、前記前ウエスト域又は前記前ウエスト域側のクロッチ域において前記横軸の方向へ延びる第１折曲案内部と、前ウエスト域側の前記クロッチ域かつ前記両側縁の内側において前記縦軸に関して対称に位置する一対の第２折曲案内部と、前記後ウエスト域側の前記クロッチ域かつ前記両側縁の内側において前記縦軸に関して対称に位置する一対の第３折曲案内部とを有し、前記第１折曲案内部に沿ってそれよりも前記縦軸の外方へ延びる部分を前記物品本体の内外方へ折曲可能であって、前記吸収性コアの両側縁と前記第２折曲案内部との間および前記吸収性コアの両側縁と前記第３折曲案内部との間には、それぞれ、前記物品本体の内外方に折り曲げ可能な第１折曲域と第２折曲域とが画成されている。
【００１０】
本発明の実施態様の一つとして、前記第１及び第２折曲域の前記縦軸の方向における長さ寸法が、前記第１折曲案内部の中央部から前記前ウエスト域の前端縁までの前記縦軸の方向における長さ寸法の半分よりも大きい。
【００１１】
本発明の実施態様の一つとして、前記第１及び第２折曲域の内側縁は前記縦軸に対して凸曲する形状を有し、かつ、前記第１及び第２折曲域の外側縁は前記縦軸に対して凹となる形状を有する。
【００１２】
本発明の実施態様の一つとして、前記第１及び第２折曲域の外側縁のうちの、前記直状部の一部からなる部位の前記縦軸の方向における長さ寸法は、前記第１折曲案内部から前記前ウエスト域の前記前端縁までの前記縦軸の方向における長さ寸法とほぼ等しい又はそれよりも大きい。
【００１３】
本発明の実施態様の一つとして、前記吸収性コアの前記第１折曲域と前記第２折曲域との間において前記縦軸の方向へ延びる弾性要素が配置されている。
【００１４】
本発明の実施態様の一つとして、前記物品本体の肌対向面において、前記前ウエスト域の前記前端縁に沿って延びる第１装飾ラインと、前記第１凹曲ラインに沿って延びる第２装飾ラインと、前記第１折曲案内部の略中央部において前記横軸の方向へ延びる第３装飾ラインと、前記第２凹曲ラインに沿って延びる第４装飾ラインとが形成されており、前記第１及び第２装飾ラインには同一の装飾が施されており、前記第３及び第４装飾ラインには、前記第１及び第２装飾ラインとは異なる装飾が施されている。
【発明の効果】
【００１５】
本発明によれば、吸収性コアの第１折曲案内部に沿ってそれよりも縦軸の外方へ延びる部分を物品本体の内外に折り曲げることができ、また、第２折曲案内部と第３折曲案内部とに沿って第１折曲域と第２折曲域とを内外に折り曲げることができるので、吸収性コアの両側縁の凹曲部の形状を着用物品の着用形態に合せて変えることができる。
【図面の簡単な説明】
【００１６】
【図１】本発明の第１実施形態における使い捨て着用物品の一例としての使い捨ておむつの斜視図。
【図２】おむつを前後方向に伸展した状態のその内面から見た一部破断展開平面図。
【図３】バリアシートを取り除き、吸収性コアのみを実線で示した展開平面図。
【図４】図１のＩＩＩ−ＩＩＩ線断面図。
【図５】おむつの他の着用状態における斜視図。
【図６】（ａ）〜（ｃ）第１着用形態におけるおむつの着用状態を示す図。
【図７】（ａ）〜（ｃ）第２着用形態におけるおむつの着用状態を示す図。
【図８】本発明の第２実施形態におけるおむつの展開平面図。
【図９】本発明の第３実施形態におけるおむつの展開平面図。
【図１０】本発明の第４実施形態におけるおむつの斜視図。
【図１１】第４実施形態におけるおむつの着用形態を示す図。
【図１２】第４実施形態におけるおむつの展開平面図。
【発明を実施するための形態】
【００１７】
＜第１実施形態＞
図１及び２に示すとおり、使い捨ておむつ１０は、縦軸Ｐ及び横軸Ｑを有し、肌当接面側及びそれに対向する非肌当接面側と、前ウエスト域１１と、後ウエスト域１２と、前後ウエスト域１１，１２間に位置するクロッチ域１３を備えるおむつ本体１４と、おむつ本体１４の後ウエスト域１２の両側縁１２ａ，１２ｂから横軸Ｑの方向の外方へ延びる一対のテープファスナタブ１５，１６とを含む。テープファスナタブ１５，１６の肌対向面には、メカニカルファスナのフック群から形成された第１ファスニング要素１７が配置されている。また、前ウエスト域１１の外面には、テープファスナタブ１５，１６の第１ファスニング要素１７を脱離可能に止着するための、横軸Ｑの方向へ延びるメカ二カルファスナのループ群から形成された第２ファスニング要素１８がホットメルト接着剤（図示せず）を介して取り付けられている。
【００１８】
図１〜４に示すとおり、おむつ本体１４は、繊維不織布、多孔プラスチックフィルム、それらのラミネートシート等から形成され、肌当接面側に位置する透液性のトップシート２０と、おむつ１０の外形をなし、透湿性プラスチックフィルム、繊維不織布、それらのラミネートシート等から形成され、非肌当接面側に位置する不透液性のバックシート２１と、フラップパルプと超吸収性ポリマー粒子との混合等から形成され、トップシート２０とバックシート２１との間に介在された吸収性コア２２とを含む。トップシート２０とバックシート２１とは、吸収性コア２２の周縁部から延出しており、該延出部位における両シート２０，２１のうちの少なくともいずれか一方の内面に塗布されたホットメルト接着剤（図示せず）を介して互いに接合されている。また、吸収性コア２２は、図示していないが、ティッシュペーパ等の拡散シートによって被包されていてもよい。
【００１９】
トップシート２０は、質量が１５〜５０ｇ／ｍ２、好ましくは、２０〜３０ｇ／ｍ２、繊維密度が０．０１〜０．０４ｇ／ｃｍ３、好ましくは、０．０２５〜０．０３５ｇ／ｃｍ３の範囲である、エアスルー繊維不織布やスパンボンド繊維不織布から形成されている。また、バックシート２１は、質量が１０〜４０ｇ／ｍ２、好ましくは、１５〜３０ｇ／ｍ２、繊維密度が０．０６〜０．１ｇ／ｃｍ３、好ましくは、０．０７〜０．０９ｇ／ｃｍ３の範囲である、スパンボンド不織布、ポイントボンド不織布、ＳＭＳ不織布などから形成されている。
【００２０】
図３では、説明の便宜上、後記のバリアシート４１を取り除き、吸収性コア２２のみが実線で示されており、その他の構成部材は破線で示されている。また、説明の便宜上、図１及び図５において、第１凹曲ライン３４と第２凹曲ライン３５とを実線で示している。
【００２１】
図２及び３に示すとおり、吸収性コア２２は、前後端縁２２ａ，２２ｂと、前後端縁２２ａ，２２ｂ間において縦軸Ｐの方向へ延びる両側縁２２ｃ，２２ｄとを有する。両側縁２２ｃ，２２ｄは、説明の便宜上、前ウエスト域１１側と後ウエスト域１２側において直状に延びる直状部２３とクロッチ域１３の略中央部において内方へ凹曲する凹曲部２４とに区分されている。また、両側縁１２ｃは、直状部２３と凹曲部２４とが交差する部位に位置する第１及び第２屈曲部位２５，２６を有する。
【００２２】
また、吸収性コア２２には、前ウエスト域１１において横軸Ｑの方向へ延びる第１折曲案内部２７が形成されている。第１折曲案内部２７は、吸収性コア２２を他の部位に比して薄くすることによって形成された凹状溝である。吸収性コア２２に第１折曲案内部２７が形成されていることから、後記するように、第１折曲案内部２７を介して前ウエスト域１１を外側に折り曲げることができる。
【００２３】
第１折曲案内部２７は、縦軸Ｐの方向において所要寸法の幅を有する凹状溝であって、縦軸Ｐの方向における長さ寸法Ｌ１は、後記の本発明の効果を有するために、好ましくは、１．０〜１５．０ｍｍ、さらに好ましくは、５．０〜１０．０ｍｍである。第１折曲案内部２７は、おむつ本体１４の外面に位置する第２ファスニング要素１８の下側縁１８ａと重なる位置に形成されており、おむつ本体１４の外面における第１折曲案内部２７に対応する部位、すなわち、第２ファスニング要素１８の下側縁１８ａ上及びその近傍には、おむつ１０の外面視において第１折曲案内部２７の位置を確認することのできる折曲案内表示部２８が形成されている（図１参照）。折曲案内表示部２８は、着用者及び着用補助者が第１折曲案内部２７の位置を容易に視認できるように、第２ファスニング要素１８とは異なる色彩を施すことによって形成してもよいし、テープ片を貼付することによって形成してもよい。
【００２４】
なお、図４に示すとおり、第１折曲案内部２７は、吸収性コア２２の肌当接面を凹状にすることによって形成した凹状溝であるが、吸収性コア２２の非肌当接面を凹状にして形成してもよい。また、吸収性コア２２の一部を取り除くことによって形成してもよいし、該部位において吸収性コア２２を圧縮変形させることによって形成してもよい。さらに、第１折曲案内部２７において、吸収性コア２２の厚さを他の部位と同じ厚さにして、その密度を他の部位に比して低くすることによって形成してもよい。
【００２５】
また、吸収性コア２２には、エンボス加工又はスリットにより形成された、クロッチ域１３の前ウエスト域１１側であって、かつ、両側縁２２ｃ，２２ｄの内側において緩やかなカーブ状に縦軸Ｐの方向へ延び、互いに縦軸Ｐに対して対称に位置する一対の第２折曲案内部３０が形成されている。また、吸収性コア２２には、クロッチ域１３の後ウエスト域１２側であって、かつ、両側縁２２ｃ，２２ｄの内側において横軸Ｑ近傍から後方へ緩やかなカーブ状に延び、互いに縦軸Ｐに対して対称に位置する一対の第３折曲案内部３１が形成されている。第２折曲案内部３０と両側縁２２ｃ，２２ｄとの間には、第１折曲域３２が形成されており、第３折曲案内部３１と両側縁２２ｃ，２２ｄとの間には、第２折曲域３３が形成されている。第１及び第２折曲域３２，３３は、第２及び第３折曲案内部３０，３１に沿っておむつ１０の内外方に折曲することができる。
【００２６】
吸収性コア２２の各寸法等は、この種のおむつ１０に通常用いられるものとほぼ同等であるが、好ましい実施態様として、横軸Ｑの方向における幅寸法Ｗ１は約１００〜１１０ｍｍ，前ウエスト域１１の縦軸Ｐの方向における長さ寸法Ｌ２は、約７０〜９０ｍｍである。また、両側縁２２ｃ，２２ｄにおける第２折曲案内部３０の前端３０ａから第１屈曲部位２５までの縦軸Ｐの方向における長さ寸法Ｌ３は約３０．０ｍｍ、第２屈曲部位２６から第３折曲案内部３１の後端３１ｂまでの縦軸Ｐの方向における長さ寸法Ｌ４は、約３０．０ｍｍである。また、第１折曲案内部２７の横軸Ｑの方向へ延びる中央ライン２７ａから前ウエスト域１１の前端縁１１ａまでの縦軸Ｐの方向における長さ寸法Ｌ５は約６０ｍｍ、第１折曲域３２の縦軸Ｐの長さ寸法Ｌ６は約６５ｍｍ、第２折曲域３３の縦軸Ｐの方向における長さ寸法Ｌ７は約７５ｍｍである。
【００２７】
かかる形状と各寸法を有する吸収性コア２２において、後記するように、図１に示すとおり、前ウエスト域１１が折曲される前のおむつ１０の着用形態（第１着用形態）における着用者の鼠径部に当接する両側縁２２ｃ，２２ｄの形状は、第２折曲案内部３０から凹曲部２４の後半分に一連に延びる第１凹曲ライン３４である。また、図５に示すように、前ウエスト域１１が外側に折り曲げられた後のおむつ１０の着用状態（第２着用形態）における着用者の鼠径部に当接する両側縁２２ｃ，２２ｄの形状は、凹曲部２４の前半部から第３折曲案内部３１に一連に延びる第２凹曲ライン３５である。また、第１凹曲ライン３４における吸収性コア２２の横軸Ｑの方向の長さ寸法が最も狭い最狭部位３６は、おむつ１０の横軸Ｑよりも前ウエスト域１１側に位置しており、第２凹曲ライン３４における吸収性コア２２の横軸Ｑの方向における長さ寸法が最も狭い最狭部位３７は、横軸Ｑと重なって位置している。また、第１凹曲ライン３４の最狭部位３６と最狭部位３７との縦軸Ｐの方向における離間寸法Ｌ８は、約３０ｍｍである。
【００２８】
トップシート２０とバックシート２１との間には、不透液性かつ透湿性のプラスチックフィルムから形成された防漏シート４０が配置されており、両シート２０，２１のうちのいずれか一方の内面に塗布されたホットメルト接着剤（図示せず）を介して固定されている。また、おむつ１０の肌対向面における吸収性コア２２の横軸Ｑの方向の外方には、縦軸Ｐに関して対称の一対のバリアシート４１が取り付けられている。
【００２９】
おむつ本体１４は、縦軸Ｑの方向に対向して横軸Ｑの方向へ延びる前後端部４２，４３と、横軸Ｑの方向に対向して、クロッチ域１３において縦軸Ｐの方向へ延びる両側部４４，４５とをさらに含む。おむつ１０の着用時において、一対のテープファスナタブ１５，１６の第１ファスニング要素１７と前ウエスト域１１の外面に位置する第２ファスニング要素１８とを係合することによって、ウエスト開口４６及び一対のレッグ開口４７とが画成されている（図１参照）。
【００３０】
前後端部４２，４３は、吸収性コア２２の前後端縁２２ａ，２２ｂから縦軸Ｐの方向の外方へ延出する、トップシート２０と、防漏シート４０と、バックシート２１及びバリアシート４１とが互いに重ね合わされることによって形成されている。また、両側部４４，４５は、吸収性コア２２の両側縁１２ｃから横軸Ｑの方向の外方へ延出する、トップシート２０と、防漏シート４０と、バックシート２１及びバリアシート４１とが互いに重ね合わされることによって形成されている。また、バックシート２１とバリアシート４１とは、前後ウエスト域１１，１２において、両側部４４，４５を形成するトップシート２０と防漏シート４０との両側縁からさらに横軸Ｑの方向の外方へ延出して互いに重なり合い、前後方側部フラップ４８，４９が形成されている。後方側部フラップ４９を形成するバックシート２１とバリアシート４１との両側縁部間には、一対のテープファスナタブ１５，１６の固定部１５ａ，１６ａが介在されており、両シート２１，４１の内面に塗布されたホットメルト接着剤（図示せず）を介して固定されている。また、後方側部フラップ４９の側縁（後ウエスト域の側縁１２a，１２ｂ）から横軸Ｑの方向の外方へ延びるテープファスナタブ１５，１６の自由部１５ｂ，１６ｂには、第１ファスニング要素１７が設けられている。
【００３１】
バリアシート４１は、両側部４４，４５の一部を形成する近位縁部５０と、前後ウエスト域１１，１２においてトップシート２０及びバックシート２１の肌対向面に固定された前後固定端部５１，５２と、前後固定端部５１，５２間において縦軸Ｐの方向へ延びる、バリアシート４１の内側縁を内方へ折り返すことによって形成された遠位縁部５３とを有する。防漏シート４０の両側縁の横方向Ｘの外方には、縦軸Ｐの方向へ延びる複数条のストランド状又はストリング状のレッグ弾性要素５４がバリアシート４１の近位縁部５０とバックシート２１の両側部との間にホットメルト接着剤（図示せず）を介して収縮可能に取り付けられている。また、遠位縁部５３には、縦軸Ｐの方向へ延びる２条のストランド状又はストリング状のカフ弾性要素５５が収縮可能に配設されている。遠位縁部５３は、おむつ１０の着用状態において、カフ弾性要素５５の収縮作用によってトップシート２０の肌対向面から離間し、排泄物の横漏れを防止するための一対の防漏カフ５６が形成される。
【００３２】
前端部４２のトップシート２０の肌対向面には、第１ファスニング要素１７が係止可能であって、かつ、トップシート２０にエンボス加工を施すことによって形成された第３ファスニング要素５７が設けられている。第３ファスニング要素５７は、縦軸Ｐ及び横軸Ｑに関して斜めに延びる複数本の第１及び第２凹状ライン５８，５９が格子状に交差してなるものであって、第１及び第２凹状ライン５８，５９の形状、大きさ及び互いの交差角度等は、適宜自由に選択することができる。なお、第１ファスニング要素１７との所要の係止強度を有する限りにおいて、第３ファスニング要素５７は、エンボス加工のされていない、この種の物品に通常使用されているエアスルー不織布、スパンボンド不織布等からなるトップシートの一部によって形成されていてもよい。
【００３３】
かかる構成を有するおむつは、第１ファスニング要素１７と第２ファスニング要素１８とからなる第１ファスニングシステムと、図５に示すように、第１折曲案内部２７に沿って前ウエスト域１１を外側に向かって折り曲げて、前端部４２の肌対向面に形成された第３ファスニング要素５７に第１ファスニング要素１７を係止する第２ファスニングシステムとを有する。第２ファスニングシステムによりおむつ１０を着用する場合（第２着用形態）には、着用者の腹部が露出するので、着用者が未熟児を含む新生児の場合に、前ウエスト域１１による締め付けによってその腹式呼吸が妨げられることはない。特に、新生児の場合にはへそ及びその周辺が十分に成熟しておらず、前ウエスト域１１によるわずかな締め付けによっても刺激を与えるおそれがあるが、かかる事態を避けることができる。
【００３４】
なお、第１ファスニングシステムにおいて、それが所要の剥離強度を有するものであれば、第１ファスニング要素１７をフック群に替えて接着剤を塗布して形成してもよい。この場合には、第１ファスニング要素１７を保護するために、第１ファスニング要素１７の表面をシリコンを塗布したセパレータで被覆してもよい。
【００３５】
テープファスナタブ１５，１６は、例えば、プラスチックフィルム、繊維不織布、それらのラミネートやクラフト紙等の比較的に剛性及び引張強度の高いシート材料から形成することが好ましい。また、本発明の所要の効果を奏する限りにおいて、テープファスナタブ１５，１６を用いることなく、後方側部フラップ４９に設けられた第１ファスニング要素１７を直接第２ファスニング要素１８に脱離可能に係合してもよい。
【００３６】
図６（ａ）〜（ｃ）は、第１ファスニングシステムにおけるおむつ１０の着用状態（第１着用形態）を示した図、図７（ａ）〜（ｃ）は、第２ファスニングシステムにおけるおむつ１０の着用状態（第２着用形態）を示した図である。なお、図７（ａ）〜（ｃ）においては、前ウエスト域１１を第１折曲案内部２７に沿って外側に折り曲げた後に、クロッチ域１３の第１折曲案内部２７と後ウエスト域１２との後端縁１２ｃとが前後方向において対向するように、すなわち、それらの高さを合わせた状態で着用者の身体に着用させている。したがって、第１着用形態のおむつは、第２着用形態のおむつに比べて、その外形が小さくなっている。また、説明の便宜上、第１及び第２凹曲ライン３４,３５は実線で示している。
【００３７】
図６（ａ）に示すように、第１着用形態の場合には、吸収性コア２２の両側縁２２ｃ，２２ｄの凹曲部２４は、第１凹曲ライン３４によって形成されており、第１折曲域３２は、第２折曲案内部３０を谷折りすることによって、外側に向かって折り曲げられている。すなわち、クロッチ域１３の前側では、吸収性コア２２が第１凹曲ライン３４による外形状を有し、両側縁２２ｃ，２２ｄが着用者の鼠径部に沿った湾曲状を呈しているので、吸収性コア２２によって着用者の鼠径部の動きが阻害されることはない。また、第１凹曲ライン３４の最も横軸Ｑの方向の長さ寸法の大きな幅広部位６０が着用者の脚部の上部（腸骨の下側近傍）に位置していることから、吸収性コア２２が着用者の腹部に安定的にフィットするので、着用中の位置ずれを抑制することができる。
【００３８】
また、外側に折り曲げられた第１折曲域３２は、着用者の脚部の動きを阻害するものではないが、第１折曲域３２が第１凹曲ライン３４の両側に位置することによって、おむつ本体１４の両側部４４，４５が身体に密着するとともに、予め第１凹曲ライン３４の外形状からなる吸収性コア２２を用いる場合に比べて、第１折曲域３２の存在によってその体液吸収面積が大きくなるので、より多くの体液を吸収することができる。
【００３９】
図６（ｂ）に示すとおり、着用者の股下の中央部に第１凹曲ライン３４の最狭部位３６が位置しているので、吸収性コア２２によって着用者の足繰りの動きが阻害されることはなく、また、吸収性コア２２の両側部に体液の漏れを誘発するような皺が形成されることはない。
【００４０】
図６（ｃ）に示すとおり、クロッチ域１３の後側では、第３折曲案内部３１に沿って第２折曲域３３は外側に折り曲げられていないので、吸収性コア２２は着用者の臀部の形状に沿うように、かつ、それを被覆するように配置されており、臀部に密着して体液を確実に吸収保持することができる。
【００４１】
一方、図７（ａ）に示すとおり、第２着用形態では、吸収性コア２２の両側縁２２ｃ，２２ｄの凹曲部２４は、第２凹曲ライン３５によって形成されており、第２折曲案内部３０に沿って第１折曲域３２は外側に折り曲げられていない。第２着用形態では、前ウエスト域１１が外側に折り曲げられているので、第１折曲案内部２７が着用者の腹部と対向する前側において後ウエスト域１２の後端縁１２ｃとほぼ並行して位置しており、第１着用形態に比べて吸収性コア２２が全体的に前方に、すなわち、着用者の腹部側に位置している。したがって、第２着用形態において第１凹曲ライン３４を採用した場合には、両側縁２２ｃ，２２ｄの凹曲部２４が着用者の鼠径部よりも前方に位置し、吸収性コア２２が着用者の身体に沿った形状とはならず、吸収性コア２２が着用者の鼠径部の動きを阻害したり、吸収性コア２２に体液の漏れを誘発するような皺が形成されるおそれがある。
【００４２】
第２着用形態では、第２凹曲ライン３５を採用することによって、その幅広部位６１が着用者の脚部の上部（腸骨の下側近傍）に位置していることから、吸収性コア２２が着用者の腹部に安定的にフィットするので、着用中の位置ずれを抑制することができる。
【００４３】
図７（ｂ）及び（ｃ）に示すとおり、第３折曲案内部３１が谷折りされることによって、第２折曲域３３は外側に向かって折り曲げられている。これにより、着用者の股下の中央部に第２凹曲ライン３５の最狭部位３７が位置するので、吸収性コア２２によって着用者の足繰りの動きが阻害されることはなく、また、吸収性コア２２の両側部に体液の漏れを誘発するような皺が形成されることはない。さらに、クロッチ域１３の後ウエスト域側では、吸収性コア２２が着用者の臀部の形状に沿うように、かつ、それを被覆するように配置されているので、臀部に密着して体液を確実に吸収保持することができる。
【００４４】
図３に示すとおり、第２着用形態においては、第１折曲案内部２７に沿って外側に折り曲げる前ウエスト域１１の部位の縦軸Ｐの方向における長さ寸法Ｌ５が、約６０ｍｍであることによって、そのおむつの着用状態では、吸収性コア２２が前後方に約３０ｍｍずつずれて位置するところ、第２折曲ライン３５の前端３５ａ（第１屈曲部位２５）は、第１折曲ライン３４の前端（第２折曲案内部３０の前端３０ａ）よりも約３０ｍｍ後方に位置し、かつ、その最狭部位３７は第１凹曲ライン３４の最狭部位３６よりも約３０ｍｍ後方に位置することによって、折曲後の凹曲部２４の位置が着用者の鼠径部の位置に合うように調整されている。また、第１及び第２折曲域３２，３３の縦軸Ｐの方向における長さ寸法Ｌ６，Ｌ７が、外側に折曲する部位の長さ寸法Ｌ５よりも大きいことから、該部位が折り曲げられて吸収性コア２２の位置がずれても、その位置ずれに合せて両側縁２２ｃ，２２ｄの形状を変形できる。
【００４５】
また、第１及び第２折曲域３２，３３の内側縁、すなわち、第２折曲案内部３０と第３折曲案内部３１とが、縦軸Ｐに対して凹曲状を有しているので、第１及び第２折曲域３２，３３が内外に折り曲げられたときに、その折曲縁部が着用者の肌に曲状に当接し、肌を刺激することはない。また、第１及び第２折曲域３２，３３の外側縁、すなわち、吸収性コア２２の両側縁２２ｃ，２２ｄのうちの第２及び第３折曲部３０，３１と対向する部位は、横軸Ｑの方向の外方へ向かって凸状に屈曲した形状を有することから、それが直状に延びている場合に比して、第１及び第２折曲域３２，３３の面積を広くすることができる。なお、第１及び第２折曲域３２，３３の外側縁は、屈曲した形状ではなく、湾曲状を有していてもよい。
【００４６】
前記のように、本発明では、おむつ１０の第１及び第２着用形態において、それぞれの形態に応じて、吸収性コア２２の外形状を適宜変形させることができるので、第１及び第２着用形態のいずれにおいても吸収性コア２２を着用者の身体に密着させることができ、着用者の身体の動きが吸収性コア２２によって阻害されることはない。
【００４７】
本発明では、第２及び第３折曲案内部３０，３１は、エンボス加工又はスリットによって形成されているが、第１及び第２折曲域３２，３３の剛性と吸収性コア２２の他の部位とにおいて剛性の高低差を設けることによって形成してもよい。例えば、第１及び第２折曲域３２，３３が、他の部位に比して高い剛性を有する場合には、第２及び第３折曲案内部３０，３１に沿ってそれらを外側に折り曲げ易く、かつ、それらを折曲せずに使用する場合には、着用中に妄りに折れ曲がるおそれはない。なお、第１及び第２折曲域３２，３３は、第２及び第３折曲案内部３０，３１を介して外側のみならず内側にも折曲可能であって、内外側のどちらに折り曲げても本明細書に記載の効果を奏するものである。
【００４８】
＜第２実施形態＞
図８は、本発明の第２実施形態におけるおむつ１０の展開平面図である。本実施形態のおむつ１０の基本的構成は、第１実施形態のそれとほぼ同様であるので、相違する点についてのみ以下に説明する。
【００４９】
本実施形態では、クロッチ域１３において、吸収性コア２２の第１折曲域３２と第２折曲域３３とに重なるように、縦軸Ｐの方向に延びるストランド状の弾性要素６３が配置されている。このように、弾性要素６３が第１折曲域３２と第２折曲域３３とに重なるように配置されている場合には、該領域が第２及び第３折曲案内部３０，３１に沿って外側に折り曲げられるときに、弾性要素６３の伸長力によって折り曲げが容易となり、また、折り曲げられた後は、その伸長応力によって折曲状態を維持することができる。なお、弾性要素６３は、単数ではなく複数配置されていてもよい。また、弾性要素６３は、第１及び第２折曲域３２，３３と交差していなくても、それらの間においてその近傍に延びていれば、同様の効果を奏することができる。具体的には、弾性要素６３が第１及び第２折曲域３２，３３に交差せず、それらの間において縦軸Ｐの方向へ延びている場合において、前後端部と第１及び第２折曲域３２，３３との離間寸法が約５．０〜１０．０ｍｍであれば、弾性要素６３が第１及び第２折曲域３２，３３と交差していなくても、その伸長応力が第１及び第２折曲域３２，３３に作用し、前記効果と同様の効果を奏することができる。
【００５０】
＜第３実施形態＞
図９は、本発明の第３実施形態におけるおむつ１０の展開平面図である。本実施形態のおむつ１０の基本的構成は、第１実施形態のそれとほぼ同様であるので、相違する点についてのみ以下に説明する。
【００５１】
本実施形態では、おむつ本体１４の肌対向面において、前ウエスト域１１の前端縁１１ａに沿って横軸Ｑの方向へ延びる第１装飾ライン７０と、第１凹曲ライン３４に沿う第２装飾ライン７１が形成されている。また、第１折曲案内部２７の中央部２７ａと重なって横軸Ｑの方向に延びる第３装飾ライン７２と、第２凹曲ライン３５に沿う第４装飾ライン７３が形成されている。第１及び第２ライン７０，７１には同じ装飾が施されており、第３及び第４装飾ライン７２，７３は、第１及び第２ライン７０，７１とは異なる装飾が施されている。ここで、装飾とは、色彩や図柄、記号、マークなどの視覚的に目印となるものをいう。このように、第１着用形態において着用者の腹部側の上端に位置する前ウエスト域１１の前端縁１１ａと第１凹曲ライン３４とに同一の装飾を施し、第２着用形態において着用者の腹部側の上端に位置する第１折曲案内部２７の中央ライン２７ａに重なる部位と第２凹曲ライン３５とに同一の装飾を施すことによって、着用者および着用補助者に、それぞれの着用形態に使用する各凹曲ライン３４，３５を視覚的に認識させることができる。なお、第２装飾ライン７１と第４装飾ライン７３とは、それぞれ、第２折曲案内部３０と第３折曲案内部３１とに施された装飾のみから形成されていてもよい。
【００５２】
＜第４実施形態＞
図１０は、本発明の第４実施形態におけるおむつ１０の斜視図、図１１は、第４実施形態におけるおむつ１０の着用形態を示す図、図１２は、第４実施形態におけるおむつ１０の展開平面図である。本実施形態のおむつ１０の基本的構成は、第１実施形態のそれとほぼ同様であるので、相違する点についてのみ以下に説明する。
【００５３】
図１０に示すとおり、本実施形態におけるおむつ１０では、第３ファスニング要素５７は、おむつ１０の前ウエスト域１１の外面に設けられている。具体的には、第３ファスニング要素５７は、折曲案内表示部２８を挟んで第２ファスニング要素１８の下方に位置しており、第２ファスニング要素１８と同様の構成を有している。
【００５４】
図１１及び図１２に示すように、本実施形態のおむつ１０の前ウエスト域１１は、第１折曲案内部２７から上方に位置する上側域１１Ａとその下方に位置する下側域１１Ｂとに区分されており、第１折曲案内部２７に沿って前ウエスト域１１の上側域１１Ａを下側域１１Ｂの肌対向面に向かって内方へ折曲して、テープファスナタブ１５，１６の第１ファスニング要素１７を第３ファスニング要素５７に止着することによって、前ウエスト域１１の一部を内側の折り曲げた状態のままおむつ１０を着用することができる。よって、本実施形態においても、図１０に示す第１着用形態と、図１１に示す第２着用形態とを選択的に使用することができる。
【００５５】
このように、前ウエスト域１１の一部を内側に折り返して着用する場合であっても、第１及び第２着用形態のそれぞれに応じて、第１凹曲ライン３４と第２凹曲ライン３５とを適宜選択的に使用することによって、吸収性コア２２を着用者の鼠径部に密着させることができるので、第１実施形態と同じ効果を奏することができる。
【００５６】
なお、本発明のおむつ１０は、新生児用に限らず、通常の幼児用おむつに関し、Ｓ，Ｍ，Ｌサイズ等の複数のサイズ間において容易にサイズを調整することができるものである。また、おむつ１０を各構成部材には、本明細書に記載されている材料のほかに、この種の分野において通常用いられている、各種の公知の材料を制限なく用いることができる。また、本発明の明細書及び特許請求の範囲において、用語「第１」及び「第２」は、同様の要素、位置などを単に区別するために用いられているものである。
【符号の説明】
【００５７】
１０    使い捨て着用物品（使い捨ておむつ）
１１    前ウエスト域
１１ａ  前ウエスト域の前端縁
１２    後ウエスト域
１３    クロッチ域
１４    おむつ本体
１５，１６  テープファスナタブ
１７    第１ファスニング要素
１８    第２ファスニング要素
２２    吸収性コア
２２ｃ，２２ｄ  両側縁
２３    直状部
２４    凹曲部
２７    第１折曲案内部
２７ａ  第１折曲案内部の中央部
３０    第２折曲案内部
３１    第３折曲案内部
３２    第１折曲域
３３    第２折曲域
３４    第１凹曲ライン
３５    第２凹曲ライン
６３    弾性要素
７０    第１装飾ライン
７１    第２装飾ライン
７２    第３装飾ライン
７３  第４装飾ライン
Ｌ３  第１折曲域の外側縁の一部における長さ寸法
Ｌ４  第２折曲域の該側縁の一部における長さ寸法
Ｌ５  第１案内部の中央部から前ウエスト域の前端縁までの長さ寸法
Ｌ６  第１折曲域の縦軸の方向における長さ寸法
Ｌ７  第２折曲域の縦軸の方向にける長さ寸法
Ｐ  縦軸
Ｑ  横軸
【図１】
0005627978.tif 000002
【図２】
0005627978.tif 000003
【図３】
0005627978.tif 000004
【図４】
0005627978.tif 000005
【図５】
0005627978.tif 000006
【図６】
0005627978.tif 000007
【図７】
0005627978.tif 000008
【図８】
0005627978.tif 000009
【図９】
0005627978.tif 000010
【図１０】
0005627978.tif 000011
【図１１】
0005627978.tif 000012
【図１２】
0005627978.tif 000013